(57)【要約】 【課題】    本発明は、コンテンツ情報を効率良く記録することができる。【解決手段】   本発明は、端末１０により同一の予約情報が入力された場合には、該同一の予約情報に対応するコンテンツ情報を共有記録領域に記録させ、端末１０により異なる予約情報が入力された場合には、該異なる予約情報のそれぞれに対応するコンテンツ情報をユーザＩＤ毎に占有記録領域に記録させる記録制御部２０３を備える。【選択図】      図２
2006277836.tif 000002
【特許請求の範囲】
【請求項１】
コンテンツ情報を記録する情報記録装置であって、
ユーザを識別するためのユーザＩＤ毎に前記コンテンツ情報を記録する占有記録領域と、前記ユーザＩＤのそれぞれに対応するユーザ間で共有する前記コンテンツ情報を記録する共有記録領域とを有する記録部と、
前記コンテンツ情報の記録を予約するための情報である予約情報と前記ユーザＩＤとの入力を促す入力部と、
前記入力部により同一の予約情報が入力された場合には、該同一の予約情報に対応する前記コンテンツ情報を前記共有記録領域に記録させ、前記入力部により異なる予約情報が入力された場合には、該異なる予約情報のそれぞれに対応する前記コンテンツ情報を前記ユーザＩＤ毎に前記占有記録領域に記録させる記録制御部と
を備えることを特徴とする情報記録装置。
【請求項２】
前記共有記録領域は、前記同一の予約情報に対応するコンテンツ情報と、該同一の予約情報とともに入力された前記ユーザＩＤとを対応付けて記録するものであり、
前記共有記録領域に記録された前記コンテンツ情報の消去が指定されたときに、消去の指定された該コンテンツ情報である指定コンテンツ情報に対応付けられた全てのユーザＩＤと、消去を順次指定した全てのユーザのユーザＩＤとが一致している場合にのみ、前記指定コンテンツ情報を消去する消去部を備えることを特徴とする請求項１に記載の情報記録装置。
【請求項３】
前記共有記録領域及び前記占有記録領域は、前記予約情報に対応するコンテンツ情報と、該予約情報とともに入力された前記ユーザＩＤとを対応付けて記録するものであり、
前記共有記録領域又は前記占有記録領域に記録された前記コンテンツ情報の再生が指定されたときに、再生の指定された該コンテンツ情報である指定コンテンツ情報に対応付けられたユーザＩＤと、再生の指定をしたユーザのユーザＩＤとが一致している場合にのみ、前記指定コンテンツ情報を再生する再生部を備えることを特徴とする請求項１に記載の情報記録装置。
【請求項４】
前記共有記録領域及び前記占有記録領域は、前記予約情報に対応するコンテンツ情報と、該予約情報とともに入力された前記ユーザＩＤとを対応付けて記録するものであり、
前記入力部により入力された前記ユーザＩＤに基づいて、該ユーザＩＤに対応付けられた前記コンテンツ情報のみのリストを表示する表示部を備えることを特徴とする請求項１に記載の情報記録装置。
【請求項５】
１又は複数のユーザＩＤに対応する前記占有記録領域の一部又は全部を前記共有記録領域として設定する記録領域設定手段を備えることを特徴とする請求項１に記載の情報記録装置。
【請求項６】
前記記録領域設定手段は、１又は複数のユーザＩＤに対応する前記占有記録領域の空領域の大きさ応じて、該占有記録領域の一部又は全部を前記共有記録領域として設定することを特徴とする請求項５に記載の情報記録装置。
【発明の詳細な説明】
【技術分野】
【０００１】
本発明は、コンテンツ情報を記録する情報記録装置に関する。
【背景技術】
【０００２】
従来から、コンテンツ情報を記録する情報記録装置が提供されている（例えば、特許文献１参照）。情報記録装置は、ユーザを識別するためのユーザＩＤに対応付けてコンテンツ情報を記録（録画）している。
【０００３】
図１３は、従来の情報記録装置により記録されたユーザＩＤとコンテンツ情報とを示す図である。図１３に示すように、例えば、ユーザＡがコンテンツ情報Ｘの記録（録画）を予約するための情報（以下では予約情報と称する）を入力した場合には、情報記録装置は、当該予約情報に対応するコンテンツ情報Ｘを、当該ユーザＡのユーザID-1に対応付けられた記録領域に記録している。
【特許文献１】特開２００３−３０９７９２号公報
【発明の開示】
【発明が解決しようとする課題】
【０００４】
しかしながら、上記情報記録装置では、同一の予約情報が入力された場合には、該同一の予約情報に対応するコンテンツ情報がユーザＩＤ毎に記録されているため、重複したコンテンツ情報が記録されることとなり、より多くのコンテンツ情報を効率良く記録させることができなかった。
【０００５】
そこで、本発明は以上の点に鑑みて成されたものであり、コンテンツ情報を効率良く記録することができる情報記録装置を提供することを目的とする。
【課題を解決するための手段】
【０００６】
本発明は、上記課題を解決するために、コンテンツ情報を記録する情報記録装置であって、ユーザを識別するためのユーザＩＤ毎にコンテンツ情報を記録する占有記録領域と、ユーザＩＤのそれぞれに対応するユーザ間で共有するコンテンツ情報を記録する共有記録領域とを有する記録部と、コンテンツ情報の記録を予約するための情報である予約情報とユーザＩＤとの入力を促す入力部と、入力部により同一の予約情報が入力された場合には、同一の予約情報に対応するコンテンツ情報を共有記録領域に記録させ、入力部により異なる予約情報が入力された場合には、異なる予約情報のそれぞれに対応するコンテンツ情報をユーザＩＤ毎に占有記録領域に記録させる記録制御部とを備えることを特徴とする。
【０００７】
このような本発明によれば、同一の予約情報が入力された場合には、同一の予約情報に対応するコンテンツ情報を共有記録領域に記録させ、異なる予約情報が入力された場合には、異なる予約情報のそれぞれに対応するコンテンツ情報をユーザＩＤ毎に占有記録領域に記録させることができる。
【０００８】
すなわち、互いに重複する予約情報が複数存在しても、それぞれに対応する同一のコンテンツ情報をユーザＩＤ毎に占有記録領域に重複して記録させずに、当該同一のコンテンツ情報を共有記録領域に記録させるため、コンテンツ情報を効率良く記録することができる。
【０００９】
上記発明においては、共有記録領域は、同一の予約情報に対応するコンテンツ情報と、同一の予約情報とともに入力されたユーザＩＤとを対応付けて記録するものであり、共有記録領域に記録されたコンテンツ情報の消去が指定されたときに、消去の指定されたコンテンツ情報である指定コンテンツ情報に対応付けられた全てのユーザＩＤと、消去を順次指定した全てのユーザのユーザＩＤとが一致している場合にのみ、指定コンテンツ情報を消去する消去部を備えてもよい。
【００１０】
上記発明においては、共有記録領域及び占有記録領域は、予約情報に対応するコンテンツ情報と、予約情報とともに入力されたユーザＩＤとを対応付けて記録するものであり、共有記録領域又は占有記録領域に記録されたコンテンツ情報の再生が指定されたときに、再生の指定されたコンテンツ情報である指定コンテンツ情報に対応付けられたユーザＩＤと、再生の指定をしたユーザのユーザＩＤとが一致している場合にのみ、指定コンテンツ情報を再生する再生部を備えてもよい。
【００１１】
上記発明においては、１又は複数のユーザＩＤに対応する占有記録領域の一部又は全部を共有記録領域として設定する記録領域設定手段を備えてもよい。
【００１２】
上記発明においては、記録領域設定手段は、１又は複数のユーザＩＤに対応する占有記録領域の空領域の大きさ応じて、占有記録領域の一部又は全部を共有記録領域として設定してもよい。
【００１３】
上記発明においては、共有記録領域及び占有記録領域は、予約情報に対応するコンテンツ情報と、該予約情報とともに入力されたユーザＩＤとを対応付けて記録するものであり、入力部により入力されたユーザＩＤに基づいて、該ユーザＩＤに対応付けられたコンテンツ情報のみのリストを表示する表示部が備えられてもよい。
【発明の効果】
【００１４】
本発明によれば、コンテンツ情報を効率良く記録することができる。
【発明を実施するための最良の形態】
【００１５】
［実施形態］
（情報記録システムの構成）
図１は、本実施形態における情報記録システム１を示す図である。図１に示すように、情報記録システム１は、端末１００と、情報記録装置２００と、表示部３００とを備えている。
【００１６】
端末１００は、情報記録装置２００又は表示部３００を操作する際に必要な情報の入力を促し、入力された情報を情報記録装置２００又は表示部３００に送信するものである。
【００１７】
例えば、端末１００は、コンテンツ情報の記録（録画）を予約するための情報である予約情報（例えば、録画時刻、その録画時刻から番組が開始されるチャンネルなど）、記録されているコンテンツ情報を再生又は消去するための情報、表示部３００に表示されている内容を変更するための情報（例えば、表示部３００における番組を他の番組に切替えるための情報）、ユーザが情報記録装置２００の使用を許可された者であることを証明する情報である証明情報（例えば、ユーザを識別するためのユーザＩＤ）等の情報を情報記録装置２００に送信する。
【００１８】
なお、本実施形態におけるコンテンツ情報は、映像、音楽又は文字などに関するデータを含むものである。
【００１９】
なお、端末１００は、赤外線により情報記録装置２００又は表示部３００に情報を送信するリモコン端末に限定されずに、携帯電話機等であってもよい。また、端末１００の機能は、情報記録装置２００又は表示部３００に備えられてもよい。
【００２０】
表示部３００は、情報記録装置２００に記録されたコンテンツ情報などを表示するものである。また、表示部３００は、放送局（図示せず）から送信されたコンテンツ情報を受信して表示するものである。
【００２１】
情報記録装置２００は、端末１００により送信された予約情報に対応するコンテンツ情報を記録するものである。図２は、本実施形態における情報記録装置２００の内部構造を示す図である。
【００２２】
図２に示すように、情報記録装置２００は、受信部２０１と、記録制御部２０３と、記録部２０５と、記録領域設定部２０７と、再生／消去部２０９とを備えている。
【００２３】
受信部２０１は、端末１００により送信された情報を受信するものである。記録制御部２０３は、外部より同一の予約情報が入力された場合には、該同一の予約情報に対応するコンテンツ情報を後述する共有記録領域に記録させる。
【００２４】
一方、記録制御部２０３は、外部より異なる予約情報が入力された場合には、該異なる予約情報のそれぞれに対応するコンテンツ情報をユーザＩＤ毎に後述する占有記録領域に記録させる。
【００２５】
記録部２０５は、ユーザを識別するためのユーザＩＤ毎にコンテンツ情報を記録する占有記録領域と、ユーザＩＤのそれぞれに対応するユーザ間で共有するコンテンツ情報を記録する共有記録領域とを備えている。
【００２６】
図３は、記録部２０５に備えられている占有記録領域２０５ａと共有記録領域２０５ｂとの内容を示す図である。図３に示すように、占有記録領域２０５ａには、コンテンツ情報（例えば、コンテンツ情報Ａ）がユーザＩＤ毎（例えば、ユーザID-100）に記録されている。
【００２７】
共有記録領域２０５ｂには、同一の予約情報とともに入力されたユーザＩＤとその同一の予約情報に対応するコンテンツ情報とが対応付けられて記録されている。
【００２８】
記録領域設定部２０７は、占有記録領域２０５ａと共有記録領域２０５ｂとの割合を設定するものである。この記録領域設定部２０７は、情報記録装置２００の初期設定時に占有記録領域２０５ａと共有記録領域２０５ｂとの割合を設定してもよい。また記録領域設定部２０７は、情報記録装置２００の初期設定が行われた後であっても占有記録領域２０５ａと共有記録領域２０５ｂとの割合を設定してもよい。
【００２９】
再生／消去部２０９は、占有記録領域２０５ａ又は共有記録領域２０５ｂに記録されたコンテンツ情報の再生が指定されたときに、再生の指定された該コンテンツ情報である指定コンテンツ情報に対応付けられたユーザＩＤと、再生の指定をしたユーザのユーザＩＤとが一致している場合にのみ、当該指定コンテンツ情報を再生する再生部である。
【００３０】
また、再生／消去部２０９は、共有記録領域２０５ｂに記録されたコンテンツ情報の消去が指定されたときに、消去の指定された該コンテンツ情報である指定コンテンツ情報に対応付けられた全てのユーザＩＤと、消去を順次指定した全てのユーザのユーザＩＤとが一致している場合にのみ、当該指定コンテンツ情報を消去する消去部である。
【００３１】
また、再生／消去部２０９は、占有記録領域２０５ａに記録されたコンテンツ情報の消去が指定されたときに、消去の指定された該コンテンツ情報である指定コンテンツ情報に対応付けられたユーザＩＤと、消去を指定したユーザのユーザＩＤとが一致している場合にのみ、当該指定コンテンツ情報を消去する消去部である。
【００３２】
（情報記録システムの動作）  
以下において、情報記録システムを構成する情報記録装置２００の動作１について、図面を参照しながら説明する。この情報記録装置２００の動作１は、予約情報に対応するコンテンツ情報が占有記録領域２０５ａ又は共有記録領域２０５ｂに記録されるまでの処理である。本実施形態における情報記録装置２００の動作１は、本動作を実行させるための切替操作（例えば、記録モードボタン（録音モードボタン）の押圧操作）により実行されるものとする。
【００３３】
図４に示すように、Ｓ１０１において、情報記録装置２００は、端末１００により送信された証明情報（例えば、ユーザＩＤなど）と予め記録部２０５に記録された情報の内容とが一致している場合には、端末１００を操作しているユーザが適正な者であると判定し、次のＳ１０３の処理に移る。このユーザＩＤは、パスワードなどであってもよい。
【００３４】
一方、情報記録装置２００は、端末１００により送信された証明情報と予め記録部２０５に記録された情報の内容とが一致していない場合には、端末１００を操作しているユーザが適正な者でないと判定し、本処理を終了する。なお、情報記録装置２００は、端末１００により送信された証明情報と予め記録部２０５に記録された情報の内容とが一致していない場合には、情報記録装置２００を使用してはいけないことを警告する情報（音など）を出力してもよい。
【００３５】
Ｓ１０３において、情報記録装置２００は、端末１００により送信された予約情報が受信されたか否か確認する。また、情報記録装置２００は、この判定がＹＥＳである場合にはＳ１０５の処理に移り、ＮＯである場合には本処理を繰り返す。
【００３６】
Ｓ１０５において、情報記録装置２００は、受信された予約情報に対応するコンテンツ情報を占有記録領域２０５ａ又は共有記録領域２０５ｂに記録させる（記録処理）。
【００３７】
図５は、上記Ｓ１０５の記録処理を示す図である。図５に示すように、Ｓ１０５−１において、情報記録装置２００は、受信された予約情報が既に受信された予約情報と同一であるか否か確認する。また、情報記録装置２００は、この判定がＹＥＳである場合にはＳ１０５−３の処理に移り、ＮＯである場合にはＳ１０５−５の処理に移る。
【００３８】
Ｓ１０５−３において、情報記録装置２００は、現在の時刻が予約情報に含まれる録画時刻と一致する場合には、該予約情報に対応するコンテンツ情報とユーザＩＤとを対応付けて共有記録領域に記録させる。また、情報記録装置２００は、現在の時刻が予約情報に含まれる録画時刻と一致していない場合には、現在の時刻が録画時刻と一致するまで待機する。
【００３９】
Ｓ１０５−５において、情報記録装置２００は、現在の時刻が予約情報に含まれる録画時刻と一致する場合には、ユーザＩＤに対応する占有記録領域に、該予約情報に対応するコンテンツ情報を記録させる。
【００４０】
次に、情報記録装置２００の動作２について、図面を参照しながら説明する。この情報記録装置２００の動作２は、占有記録領域２０５ａ又は共有記録領域２０５ｂに記録されたコンテンツ情報が消去されるまでの処理である。本実施形態における情報記録装置２００の動作１は、本動作を実行させるための切替操作（例えば、消去モードボタン（消去モードボタン）の押圧操作）により実行されるものとする。
【００４１】
図６は、本実施形態における情報記録装置２００の動作２を示す図である。図６に示すように、Ｓ２０１において、情報記録装置２００は、上述したＳ１０１と同様の処理を実行する。
【００４２】
Ｓ２０３において、情報記録装置２００は、端末１００により送信された消去情報が受信されたか否か確認する。この消去情報は、記録されたコンテンツ情報を削除するための情報である。また、情報記録装置２００は、この判定がＹＥＳである場合にはＳ２０５の処理に移り、ＮＯである場合には本処理を繰り返す。
【００４３】
Ｓ２０５において、情報記録装置２００は、証明情報（Ｓ１０１，Ｓ２０１参照）に含まれるユーザＩＤと、消去の指定されたコンテンツ情報である指定コンテンツ情報に対応付けられた全てのユーザＩＤとが完全に同一であるか否か確認する。また、情報記録装置２００は、この判定がＹＥＳである場合にはＳ２１１の処理に移り、ＮＯである場合にはＳ２０７の処理に移る。
【００４４】
Ｓ２０７において、情報記録装置２００は、証明情報（Ｓ１０１，Ｓ２０１参照）に含まれるユーザＩＤと、消去の指定されたコンテンツ情報である指定コンテンツ情報に対応付けられた全てのユーザＩＤのうちの一部のユーザＩＤとが一致しているか否か確認する。
【００４５】
ここで、図７（ａ）及び（ｂ）は、共有記録領域２０５ｂに記憶されたユーザID-100のコンテンツ情報のリストを示す図である。上記Ｓ２０７の処理について図３及び図７（ａ）を参照しながら説明すると、図３に示すように共有記録領域２０５ｂには、コンテンツ情報Ｅ及びコンテンツ情報Ｆとそれらの情報を記録させたユーザのユーザＩＤ（ここではユーザID-100，ユーザID-200，ユーザID-300，ユーザID-400）が対応付けられて記録されている。
【００４６】
したがって、図７（ａ）に示すように、証明情報にユーザID-100が含まれている場合には、情報記録装置２００は、そのユーザID-100に対応付けられたコンテンツ情報Ｅ及びコンテンツ情報Ｆと、そのコンテンツ情報Ｅ及びコンテンツ情報Ｆに対応付けられた全てのユーザＩＤ（ここではユーザID-100，ユーザID-200，ユーザID-300，ユーザID-400）とを表示させる。なお、本実施形態では、本動作を実行させるための切替操作が行われることにより、図７（ａ）に示すリストが表示されるものとする。
【００４７】
そして、情報記録装置２００は、証明情報に含まれるユーザID-100と、消去の指定されたコンテンツ情報Ｅ（指定コンテンツ情報）に対応付けられた全てのユーザＩＤのうちのいずれかのユーザＩＤ（ユーザID-100）とが一致（一部分一致）しているため、Ｓ２０７の処理からＳ２０９の処理に移る。
【００４８】
Ｓ２０９において、情報記録装置２００は、証明情報に含まれるユーザＩＤ（ここではユーザID-100）及び消去の指定されたコンテンツ情報である指定コンテンツ情報（ここではコンテンツ情報Ｅ）に関係する表示部３００上での表示態様を変更する。
【００４９】
図７（ｂ）に示すように、情報記録装置２００は、上記指定コンテンツ情報（ここではコンテンツ情報Ｅ）とそれに対応付けられた全てのユーザＩＤとを強調表示、反転表示、拡大・縮小表示などの表示態様に変更する。これにより、ユーザは、変更された表示態様を見ることにより、上記指定コンテンツ情報（ここではコンテンツ情報Ｅ）を共有する複数のユーザのうち、誰かが上記指定コンテンツ情報（ここではコンテンツ情報Ｅ）を必要としていないことを容易に把握することができる。
【００５０】
上記Ｓ２０９のＹＥＳまでの処理では、証明情報に含まれるユーザＩＤ（ここではユーザID-100）が、指定コンテンツ情報（ここではコンテンツ情報Ｅ）に対応付けられた全てのユーザＩＤのうちの一部のユーザＩＤ（ユーザID-100）としか一致していない。したがって、この時点では、情報記録装置２００は、指定コンテンツ情報（ここではコンテンツ情報Ｅ）を削除せずに、次のＳ２０１からの処理を繰り返し行う。
【００５１】
そして、情報記録装置２００は、次のＳ２０１からＳ２０９までの処理を繰り返し実行し、ユーザID-200を含む証明情報，ユーザID-300を含む証明情報，ユーザID-400を含む証明情報を順次受信し、既に受信したユーザID-100，ユーザID-200，ユーザID-300，ユーザID-400と、上記指定コンテンツ情報（ここではコンテンツ情報Ｅ）に対応付けられた全てのユーザＩＤ（ここではユーザID-100，ユーザID-200，ユーザID-300，ユーザID-400）とが最終的に完全一致している場合（Ｓ２０５のＹＥＳ）には、上記指定コンテンツ情報（ここではコンテンツ情報Ｅ）を削除する（Ｓ２１１）。
【００５２】
なお、共有記録領域２０５ｂに記録された指定コンテンツ情報には、２以上のユーザＩＤが対応付けられているため、それらのユーザＩＤが全て入力されるまで、Ｓ２０１からＳ２０９までの処理が繰り返し実行される。そして、それらの処理が繰り返された後にＳ２１１の処理（消去処理）が実行される。一方、占有記録領域２０５ａに記録された指定コンテンツ情報には、１つのユーザＩＤしか対応付けられているため、そのユーザＩＤが入力されれば、Ｓ２０１からＳ２０９までの処理が繰り返し実行されない。このため、それらの処理が繰り返されずにＳ２１１の処理が実行される。
【００５３】
なお、上記指定コンテンツ情報（ここではコンテンツ情報Ｅ）が記録部２０５から削除された場合には、情報記録装置２００は、表示部３００に表示されている上記指定コンテンツ情報（ここではコンテンツ情報Ｅ）及びそれに対応付けられたユーザＩＤ（ここではユーザID-100，ユーザID-200，ユーザID-300，ユーザID-400）も削除する。
【００５４】
なお、図７（ａ）及び（ｂ）では指定コンテンツ情報にはユーザＩＤが対応付けられていたが、これに限定されずに、当該指定コンテンツ情報を共有しているユーザ数が対応付けられてもよい（図８（ａ）及び（ｂ））。
【００５５】
次に、情報記録装置２００の動作３について、図面を参照しながら説明する。この情報記録装置２００の動作３は、占有記録領域２０５ａ又は共有記録領域２０５ｂに記録されたコンテンツ情報が再生されるまでの処理である。
【００５６】
図９は、本実施形態における情報記録装置２００の動作３を示す図である。図９に示すように、Ｓ３０１において、情報記録装置２００は、上述したＳ１０１と同様の処理を実行する。
【００５７】
Ｓ３０３において、情報記録装置２００は、端末１００により送信された再生情報が受信されたか否か確認する。この再生情報は、記録されたコンテンツ情報を再生するための情報である。また、情報記録装置２００は、この判定がＹＥＳである場合にはＳ３０５の処理に移り、ＮＯである場合には本処理を繰り返す。
【００５８】
Ｓ３０５において、情報記録装置２００は、証明情報（Ｓ１０１，Ｓ２０１参照）に含まれるユーザＩＤと、再生の指定されたコンテンツ情報である指定コンテンツ情報に対応付けられたユーザＩＤとが同一であるか否か確認する。また、情報記録装置２００は、この判定がＹＥＳである場合にはＳ３０７の処理に移り、ＮＯである場合にはＳ３０１の処理に戻る。
【００５９】
Ｓ３０７において、情報記録装置２００は、再生情報に含まれるユーザＩＤに対応付けられたコンテンツ情報を再生する。
【００６０】
（作用及び効果）
かかる本実施形態の特徴によれば、異なる予約情報が入力された場合には、異なる予約情報のそれぞれに対応するコンテンツ情報をユーザＩＤ毎に占有記録領域２０５ａに記録させ、同一の予約情報が入力された場合には、同一の予約情報に対応するコンテンツ情報を共有記録領域２０５ｂに記録させることができる。
【００６１】
すなわち、互いに重複する予約情報が複数存在しても、それぞれに対応する同一のコンテンツ情報をユーザＩＤ毎に占有記録領域２０５ａに重複して記録させずに、当該同一のコンテンツ情報を共有記録領域２０５ｂに記録させるため、コンテンツ情報を効率良く記録することができる。
【００６２】
また、共有記録領域２０５ｂに記録されたコンテンツ情報の消去が指定されたときは、消去の指定されたコンテンツ情報である指定コンテンツ情報に対応付けられた全てのユーザＩＤと、消去を順次指定した全てのユーザのユーザＩＤとが一致している場合にのみ、当該指定コンテンツ情報を削除する。このため、共有記録領域２０５ｂに記録されたコンテンツ情報を共有している全てのユーザから削除の指定がなければ、当該コンテンツ情報を削除しないため、全てのユーザの同意が得られていない状態で突然にコンテンツ情報が削除されるというユーザ間の不都合を解消することができる。
【００６３】
さらに、占有記録領域２０５ａ又は共有記録領域２０５ｂに記録されたコンテンツ情報の再生が指定されたときに、再生の指定されたコンテンツ情報である指定コンテンツ情報に対応付けられたユーザＩＤと、再生の指定をしたユーザのユーザＩＤとが一致している場合にのみ、指定コンテンツ情報を再生する。このため、占有記録領域２０５ａに記録されたコンテンツ情報に対応付けられたユーザＩＤを持つユーザ以外に対して、当該コンテンツ情報を再生しないため、占有記録領域２０５ａに記録されたコンテンツ情報を正規のユーザ（共有のユーザも含む）以外のユーザに知得させないようにすることができる。
【００６４】
［変更例１］
なお、本発明は、上記実施形態に限定されずに、下記に示す変更を加えてもよい。上記実施形態では、記録領域設定部２０７は、占有記録領域２０５ａと共有記録領域２０５ｂとを別々に設定している。これに対し、本変更例では、記録領域設定部２０７は、１又は複数のユーザＩＤに対応する占有記録領域２０５ａの一部又は全部を共有記録領域２０５ｂとして設定してもよい。
【００６５】
図１０は、本変更例における占有記録領域２０５ａとその占有記録領域２０５ａにおける共有記録領域２０５ｂとを示す図である。図１０に示すように、例えば、ユーザID-100に対応する予約情報とユーザID-200に対応する予約情報とが同一である場合には、記録領域設定部２０７は、予約情報に対応するコンテンツ情報Ｇの半分が記録され得る領域を共有記録領域２０５ｂ（図面中の斜線部分を参照）として、ユーザID-100に対応する占有記録領域２０５ａ及びユーザID-200に対応する占有記録領域２０５ａのそれぞれに設定する。
【００６６】
かかる本変更例の特徴によれば、１又は複数のユーザＩＤに対応する占有記録領域２０５ａの一部又は全部を共有記録領域２０５ｂとして設定することができる。このため、共有記録領域２０５ｂを占有記録領域２０５ａとは別個独立に設定しないため、複数のユーザで相互に共有するコンテンツ情報を占有記録領域２０５ａ内で効率的に記録させることができる。
【００６７】
［変更例２］
なお、本発明は、上記実施形態及び上記変更例に限定されずに、下記に示す変更を加えてもよい。本変更例では、記録領域設定部２０７は、１又は複数のユーザＩＤに対応する占有記録領域２０５ａの空領域の大きさ応じて、占有記録領域２０５ａの一部又は全部を共有記録領域２０５ｂとして設定してもよい。
【００６８】
図１１は、本変更例における占有記録領域２０５ａとその占有記録領域２０５ａにおける共有記録領域２０５ｂとを示す図である。図１１に示すように、例えば、ユーザID-100に対応する予約情報とユーザID-200に対応する予約情報とが同一である場合には、記録領域設定部２０７は、ユーザID-100に対応付けられた占有記録領域２０５ａの空領域と、ユーザID-200に対応付けられた占有記録領域２０５ａの空領域との大きさを確認する。
【００６９】
そして、記録領域設定部２０７は、ユーザID-100に対応付けられた占有記録領域２０５ａの空領域と、ユーザID-200に対応付けられた占有記録領域２０５ａの空領域との大きさに応じて、ユーザID-100及びユーザID-200に対応付けられた占有記録領域２０５ａに、予約情報に対応するコンテンツ情報（ここではコンテンツ情報Ｌ）が記録され得る共有記録領域２０５ｂを設定する。
【００７０】
図１１では、コンテンツ情報Ｌが記録される前は、ユーザID-100に対応付けられた占有記録領域２０５ａには、空領域が全体の１００％であり、未だ何のコンテンツ情報が記録されていない。また、ユーザID-200に対応付けられた占有記録領域２０５ａには、空領域が全体の０％であり、コンテンツ情報Ｍ，コンテンツ情報Ｎ，コンテンツ情報Ｏが既に記録されている。
【００７１】
この場合には、ユーザID-200に対応付けられた占有記録領域２０５ａには空領域が無いため、記録領域設定部２０７は、ユーザID-200に対応付けられた占有記録領域２０５ａには共有記録領域２０５ｂを設定しない。
【００７２】
したがって、ユーザID-100に対応付けられた占有記録領域２０５ａには空領域が全体に占めているため、記録領域設定部２０７は、そのユーザID-100に対応付けられた占有記録領域２０５ａに、予約情報に対応するコンテンツ情報Ｌの全てが記録され得る共有記録領域２０５ｂを設定する。
【００７３】
かかる本変更例の特徴によれば、１又は複数のユーザＩＤに対応する占有記録領域２０５ａの空領域の大きさ応じて、占有記録領域２０５ａの一部又は全部を共有記録領域２０５ｂとして設定することができる。これにより、複数のユーザＩＤに対応する占有記録領域２０５ａにおける空領域を共有記録領域２０５ｂとして有効活用することができるため、複数のユーザで相互に共有するコンテンツ情報を占有記録領域２０５ａ内でより効率的に記録させることができる。
【００７４】
［変更例３］
なお、上記実施形態では情報記録装置２００は、端末１００により送信された証明情報と予め記録部２０５に記録された情報の内容とが一致している場合には、端末１００を操作しているユーザが適正な者であると判定し、コンテンツ情報の記録・再生・消去などを実行している。そして、上記証明情報にはユーザＩＤが含まれているとして説明したが、これに限定されることなく、下記に示す変更を加えてもよい。
【００７５】
図１２は、本変更例における端末１００を示す図である。図１２（ａ）に示すように、端末１００には、数字又は記号などの入力を受け付けるボタン１０１が備えられている。上記証明情報には、ボタン１０１により入力された暗証番号、パスワードが含まれてもよい。
【００７６】
また、図１２（ｂ）に示すように、端末１００には、ユーザを識別するための専用ボタン１０２が備えられてもよい。上記証明情報には、専用ボタン１０２が押圧されたことにより端末１００から出力される情報が含まれてもよい。
【００７７】
また、図１２（ｃ）に示すように、端末１００には、ユーザ固有の人体に関する情報（例えば、指紋に関する情報）を読み込む読込部１０３が備えられてもよい。上記証明情報には、読込部１０３により読み込まれた情報が含まれてもよい。
【００７８】
さらに、図１２（ｄ）に示すように、端末はユーザ毎に異なる構成を備えてもよい。例えば、ユーザＡ専用の端末１００ａ、ユーザＢ専用の端末１００ｂ、ユーザＣ専用の端末１００ｃ、ユーザＤ専用の端末１００ｄなどが挙げられる。そして、上記証明情報には端末１００ａ乃至１００ｄから送信されたユーザを識別するための情報が含まれてもよい。
【００７９】
なお、共有記録領域及び占有記録領域は、予約情報に対応するコンテンツ情報と、該予約情報とともに入力されたユーザＩＤとを対応付けて記録するものであり、情報記録装置２００は、入力されたユーザＩＤに基づいて、該ユーザＩＤに対応付けられたコンテンツ情報のみのリスト（例えば、番組リストなど）を表示部３００に表示させてもよい。この場合には、情報記録装置２００は、入力されたユーザＩＤに対応するコンテンツ情報のみのリストしか表示させずに、他のユーザＩＤに対応するコンテンツ情報のリストを表示させないようにすることができる。
【００８０】
なお、図１２（ａ）乃至（ｄ）に示す端末１００の構成は、当然に情報記録装置２００又は表示部３００に組み込まれてもよい。
【００８１】
以上、本発明の一例を説明したが、具体例を例示したに過ぎず、特に本発明を限定するものではなく、各部の具体的構成等は、適宜設計変更可能である。また、実施形態の構成はそれぞれ組み合わせることが可能であり、各変更例の構成もそれぞれ組み合わせることが可能である。さらに、実施形態の構成及び各変更例の構成もそれぞれ組み合わせることが可能である。また、実施形態及び各変更例の作用及び効果は、本発明から生じる最も好適な作用及び効果を列挙したに過ぎず、本発明による作用及び効果は、各実施形態及び各変更例に記載されたものに限定されるものではない。
【図面の簡単な説明】
【００８２】
【図１】本実施形態における情報記録システムを示す図である。
【図２】本実施形態における情報記録装置の内部構成を示す図である。
【図３】本実施形態における記録部の記録内容を示す図である。
【図４】本実施形態における情報記録装置の動作１を示す図である。
【図５】本実施形態における記録処理を示す図である。
【図６】本実施形態における情報記録装置の動作２を示す図である。
【図７】本実施形態における表示内容を示す図である（その１）。
【図８】本実施形態における表示内容を示す図である（その２）。
【図９】本実施形態における情報記録装置の動作３を示す図である。
【図１０】第１変更例における記録部の記録内容を示す図である。
【図１１】第２変更例における記録部の記録内容を示す図である。
【図１２】第３変更例における端末を示す図である。
【図１３】従来における記録領域を示す図である。
【符号の説明】
【００８３】
１…情報記録システム、１００…端末、１０１…ボタン、１０２…専用ボタン、１０３…読込部、２００…情報記録装置、２０１…受信部、２０３…記録制御部、２０５…記録部、２０５ａ…占有記録領域、２０５ｂ…共有記録領域、２０７…記録領域設定部、２０９…再生／消去部、３００…表示部
【図１】
2006277836.tif 000003
【図２】
2006277836.tif 000004
【図３】
2006277836.tif 000005
【図４】
2006277836.tif 000006
【図５】
2006277836.tif 000007
【図６】
2006277836.tif 000008
【図７】
2006277836.tif 000009
【図８】
2006277836.tif 000010
【図９】
2006277836.tif 000011
【図１０】
2006277836.tif 000012
【図１１】
2006277836.tif 000013
【図１２】
2006277836.tif 000014
【図１３】
2006277836.tif 000015